(57)【特許請求の範囲】
【請求項１】
薬物送達デバイス（１）用のアセンブリ（２）であって、
薬物の用量の設定中に圧縮される圧縮ばね（１２）と、
スリーブ部材（３０）と
回転部材（２７）と
ロッキング部材（１７）と
用量を設定するために用量設定方向に回転するように構成された用量設定部材（２１）であって、用量設定方向での用量設定部材（２１）の回転は、用量設定方向での回転部材（２７）の回転を引き起こし、これにより、スリーブ部材（３０）の回転とスリーブ部材（３０）の遠位方向への軸方向移動を引き起こし、それにより圧縮ばね（１２）が圧縮される、前記用量設定部材（２１）と
を含み、
ここで、スリーブ部材（３０）は、回転部材（２７）に対して回転方向に固定され、軸方向に可動であり、
ここで、ロッキング部材（１７）は、用量の設定中に用量投薬方向での回転部材（２７）の回転を妨げ、それにより圧縮ばね（１２）の弛緩を妨げるように構成され、
ここで、圧縮ばね（１２）は、スリーブ部材（３０）と直接接触し、圧縮ばね（１２）およびスリーブ部材（３０）は、圧縮ばね（１２）の弛緩がデバイスの投薬端から離れた近位方向でスリーブ部材（３０）の回転および軸方向運動を生じるように構成され、それにより、薬物送達デバイス（１）からの用量の投薬を引き起こす、前記アセンブリ。
【請求項２】
スリーブ部材（３０）は、用量の設定中に回転され、スリーブ部材（３０）の回転が、圧縮ばね（１２）の圧縮を引き起こす請求項１に記載のアセンブリ。
【請求項３】
圧縮ばね（１２）は、スリーブ部材（３０）に対して力を及ぼし、ここで前記力は、近位方向に向けられる請求項１または２に記載のアセンブリ。
【請求項４】
圧縮ばね（１２）はコイルばねである請求項１〜３のいずれか１項に記載のアセンブリ。
【請求項５】
ハウジング（７）を含み、ここで、圧縮ばね（１２）は、ハウジング（７）の支承面（２０）とスリーブ部材（３０）との間に配置される請求項１〜４のいずれか１項に記載のアセンブリ。
【請求項６】
スリーブ部材（３０）はねじ山を含み、スリーブ部材（３０）は、該スリーブ部材（３０）の回転がハウジング（７）に対するスリーブ部材（３０）の軸方向運動を引き起こすように、ねじ山によってハウジング（７）と係合する請求項５に記載のアセンブリ。
【請求項７】
ピストンロッド（３）を含み、ここで、圧縮ばね（１２）の弛緩は、ピストンロッド（３）を遠位方向に移動させる請求項１〜６のいずれか１項に記載のアセンブリ。
【請求項８】
回転部材（２７）は、駆動軸（２３）によって用量設定部材（２１）に連結される請求項１に記載のアセンブリ。
【請求項９】
薬物の用量を投薬するために動作されるように構成されたアクチュエータ（１３）を含み、ここで、該アクチュエータ（１３）が動作されるときに、圧縮ばね（１２）が弛緩することが可能になる請求項１〜８のいずれか１項に記載のアセンブリ。
【請求項１０】
ロッキング部材（１７）は、アクチュエータ（１３）が作動されるときに、用量投薬方向で回転部材（２７）の回転を可能にし、それにより圧縮ばね（１２）の弛緩を可能にする請求項１に記載のアセンブリ。
【請求項１１】
請求項１〜１０のいずれか１項に記載のアセンブリを含む薬物送達デバイス（１）。
【発明の詳細な説明】
【技術分野】
【０００１】
本開示は、薬物送達デバイス用のアセンブリに関する。特に、本開示は、ペン型の薬物送達デバイスに関する。
【背景技術】
【０００２】
ペン型の薬物送達デバイスは、正式な医療訓練を受けていない人が注射するために使用される。これは、糖尿病などを患う患者の自己治療に益々一般的なものになっている。そのような自己治療は、患者が自分の病気を効果的に管理できるようにする。ペン型の薬物送達デバイスは、通常、駆動機構が中に位置するハウジングを含む。いくつかの種類の薬物送達デバイスは、薬物が入れられたカートリッジを収容するための区画を含む。駆動機構によって、カートリッジ内のピストンが変位され、それにより、中に収容されている薬物が注射針を通して投薬される。
【０００３】
注射の前に、薬物の所要の用量が、用量設定機構によって設定される。用量設定機構の一般的な設計は、用量ダイアルスリーブ、用量指示スリーブ、駆動スリーブ、またはラチェットスリーブなどいくつかの管状またはスリーブ状要素を含む。そのようなスリーブは、しばしば互いの内部に収容され、互いに連結される。
【０００４】
いくつかのデバイスはばね部材を含むことがあり、用量の設定中、ばね部材にエネルギーが貯蔵される。このエネルギーは、用量の投薬中に解放される。
【０００５】
特許文献１は、ばね部材を含む薬物送達デバイスを記載している。
【先行技術文献】
【特許文献】
【０００６】
【特許文献１】米国特許出願公開第２０１０／０１１４０２５Ａ１号
【発明の概要】
【発明が解決しようとする課題】
【０００７】
本発明の目的は、改良された特性を有する薬物送達デバイス用のアセンブリを提供することである。
【課題を解決するための手段】
【０００８】
本発明の一態様によれば、薬物の用量の設定中に圧縮される圧縮ばねを含む、薬物送達デバイス用のアセンブリが提供される。アセンブリは、さらにスリーブ部材を含み、圧縮ばねは、スリーブ部材と直接接触し、圧縮ばねおよびスリーブ部材は、圧縮ばねの弛緩が近位方向でスリーブ部材の回転および軸方向運動を生じるように構成される。それにより、薬物送達デバイスからの用量の投薬が引き起こされる。近位方向は、デバイスの投薬端から離れる方向でよい。
【０００９】
圧縮ばねは、エネルギーを貯蔵するために変形、特に圧縮される要素でよい。このエネルギーは、圧縮ばねが弛緩されるときに解放される。それにより、圧縮ばねは、アセンブリの別の構成要素を駆動するように構成される。
【００１０】
圧縮ばねの使用の利点は、アセンブリ内への圧縮ばねの挿入が単純であり得ることである。特に、圧縮ばねは、単に、アセンブリ内に軸方向で挿入されればよい。特に、圧縮ばねを駆動アセンブリの任意の他の部分にねじって固定する必要はない。圧縮ばねは、アセンブリの任意の構成要素に固定連結されずに、２つの支承面間に配置される。圧縮ばねの回転位置は重要でない。さらに、組立て中に圧縮ばねが圧縮されるだけでよいので、圧縮ばねの予張力の印加（ｐｒｅ−ｔｅｎｓｉｏｎｉｎｇ）は容易であり得る。たとえば、支承面間の距離は、非圧縮状態での圧縮ばねの軸方向長さよりも小さいことがある。それにより、圧縮ばねは、組立て中に自動的に予張力を印加される。再使用可能な薬物送達デバイスで圧縮ばねが使用される場合、デバイスのリセットは単純であり得る。
【００１１】
スリーブ部材は、用量の設定中にユーザによって回転される。スリーブ部材の回転は、圧縮ばねの圧縮を引き起こすことがある。スリーブ部材は、たとえば、設定された用量の量をユーザに示すインジケータでよい。
【００１２】
アセンブリは、用量設定部材を含むことがあり、用量設定部材は、用量を設定するために用量設定方向に回転されるように構成される。スリーブ部材は、ユーザが用量設定部材を回転させるときに回転される。好ましくは、スリーブ部材は、用量の設定中、遠位方向で回転および軸方向の複合運動を行うことができる。遠位方向は、デバイスの投薬端に向かう方向でよい。用量のキャンセル中、スリーブ部材は、近位方向で回転および軸方向の複合運動を行うことができる。用量のキャンセル中、圧縮ばねの弛緩が可能にされる。
【００１３】
一実施形態によれば、アセンブリはアクチュエータを含み、アクチュエータは、用量を投薬するためにユーザによって操作されるように構成される。アクチュエータは、ボタンでよい。特に、アクチュエータは、ユーザによって圧縮される。圧縮ばねは、アクチュエータが動作されるときに弛緩することが可能になる。
【００１４】
圧縮ばねは、コイルばねでよい。圧縮ばねは、スリーブ部材に力を及ぼすことがある。力は、近位方向に向けられる。デバイスがユーザによって作動され、圧縮ばねが弛緩することが可能になるとき、圧縮ばねは、スリーブ部材の運動を引き起こすことができる。
【００１５】
アセンブリは、ハウジングを含むことがある。ハウジングは、支承面を含むことがある。特に、ハウジングは、突起を含むことがあり、支承面は、突起に位置する。支承面は、デバイスの近位端に向けられる。デバイスの近位端は、デバイスの投薬端から最も離れた端部でよい。圧縮ばねは、ハウジングの支承面とスリーブ部材との間に配置される。一実施形態では、スラストワッシャが、支承面と圧縮ばねとの間、およびスリーブ部材と圧縮ばねとの間に配置される。それにより、特に、ハウジングとスリーブ部材がプラスチック材料を含み、圧縮ばねが金属材料を含むときに、アセンブリの構成要素の摩耗が妨げられる。
【００１６】
一実施形態によれば、スリーブ部材は、ねじ山を含む。スリーブ部材は、ねじ山によってハウジングと係合することができる。特に、スリーブ部材は、スリーブ部材の回転がハウジングに対するスリーブ部材の軸方向運動を引き起こすようにハウジングと係合することができる。特に、スリーブ部材は、用量設定方向に回転されるとき、遠位方向に移動される。それにより、スリーブ部材は、圧縮ばねを圧縮する。用量設定方向は、たとえば時計方向でよい。用量の投薬中または用量のキャンセル中、スリーブ部材は、用量投薬方向に回転される。それにより、スリーブ部材は、デバイスの近位端に向けて移動される。スリーブ部材は、止め具機能に当接するまで、デバイスの近位端に向けて移動される。
【００１７】
一実施形態によれば、アセンブリは、ピストンロッドを含む。圧縮ばねの弛緩は、ピストンロッドを遠位方向に移動させることができる。
【００１８】
一実施形態によれば、アセンブリは、駆動要素を含む。駆動要素は、遠位方向でピストンロッドの運動を引き起こすように構成される。駆動要素は、ピストンロッドと係合される。たとえば、駆動要素はスプラインを含むことがあり、スプラインは、ピストンロッドの対応する溝と係合される。溝は、ピストンロッドの全長に沿って延びることがある。特に、駆動要素は、ピストンロッドに対して軸方向に可動でよい。さらに、駆動要素は、ピストンロッドに対して回転方向に固定される。
【００１９】
一実施形態によれば、アセンブリは、回転部材を含む。スリーブ部材は、回転部材に対して回転方向に固定されるが、軸方向に可動である。たとえば、スリーブ部材は、スプラインを含むことができ、スプラインは、回転部材の対応する溝に係合する。スリーブ部材は、回転部材の周りに同心に配置される。回転部材は、用量の設定中および投薬中に回転される。用量の設定中には、回転部材は、用量設定方向、たとえば時計方向に回転される。用量の投薬中には、回転部材は、用量投薬方向、たとえば反時計方向に回転される。
【００２０】
一実施形態によれば、用量の設定中の回転部材の回転は、スリーブ部材を回転させて遠位方向に軸方向移動させ、それにより圧縮ばねが圧縮される。回転部材は、用量設定部材を回転させることによって回転される。特に、用量設定方向での用量設定部材の回転は、用量設定方向での回転部材の回転を引き起こすことができる。
【００２１】
一実施形態によれば、アセンブリは、駆動軸を含むことがある。駆動軸は、スプラインによって用量設定部材に連結され、スプラインは、用量設定部材の対応する溝と係合する。回転部材は、駆動軸によって用量設定部材に連結される。用量の投薬中、駆動軸は、用量設定部材から係合解除される。
【００２２】
一実施形態によれば、アセンブリは、ロッキング部材を含むことがある。ロッキング部材は、用量の設定中、ハウジングに対して固定される。特に、ロッキング部材とハウジングは、対応する係合手段を含むことがある。対応する係合手段は、用量の設定中に係合される。回転部材は、ロッキング部材に結合される。ロッキング部材は、用量の設定中に用量投薬方向での回転部材の意図しない回転を妨げるように構成される。それにより、ロッキング部材は、圧縮ばねの弛緩を妨げることができる。この目的で、回転部材は、ラチェット機構を含むことがある。回転部材は、ラチェット機構によってロッキング部材に連結される。ラチェット機構は、ラチェットアームを含むことがある。ラチェットアームは、用量投薬方向での回転部材の意図しない回転が妨げられるようにロッキング部材に係合される。ラチェット機構は、ロッキング部材に対する用量設定方向で回転部材の回転を可能にすることができる。
【００２３】
アクチュエータが作動されるとき、回転部材は、ロッキング部材を移動させて、ハウジングとのロッキング部材の係合を解除することができる。さらに、用量の投薬中、回転部材の回転は、ロッキング部材の回転を引き起こすことができる。
【００２４】
アクチュエータが作動されるとき、ロッキング部材は、用量投薬方向で回転部材の回転を可能にすることができる。特に、ロッキング部材は、用量の投薬中、ハウジングから係合解除される。それにより、圧縮ばねの弛緩が可能にされる。特に、アクチュエータが作動されるとき、圧縮ばねは、スリーブ部材の回転を引き起こす。さらに、スリーブ部材は、スリーブ部材と回転部材の係合により、回転部材を回転させる。
【００２５】
駆動要素は、ロッキング部材に固定して連結され、それにより、駆動部材は、少なくとも用量の設定中、ロッキング部材によってハウジングに対して固定される。駆動要素とロッキング部材は互いに対して固定され、それにより、ロッキング部材の運動は、駆動要素の対応する運動を引き起こす。特に、用量の投薬中の回転部材の回転は、駆動要素の対応する回転を引き起こすことができる。それにより、ピストンロッドの回転が引き起こされる。
【００２６】
用量の投薬中、ロッキング部材は、ハウジングに対して回転することができる。それにより、駆動要素は、用量の投薬中にハウジングに対して回転することができる。それにより、駆動要素は、ピストンロッドを移動させることができる。ロッキング部材の回転を可能にするために、ロッキング部材は、ハウジングとのその係合から解放されなければならない。たとえば、ロッキング部材は、ロッキング部材の回転を可能にするためにハウジングに対して軸方向に移動されなければならない。たとえば、ロッキング部材は、ロッキング部材の回転を可能にするために遠位方向に移動される。
【００２７】
一実施形態によれば、アセンブリは、案内要素を含む。案内要素は、ハウジングに対して固定される。さらに、案内要素は、ピストンロッドと係合することができる。案内要素は、ピストンロッドの運動に影響を及ぼすことがある。たとえば駆動要素の回転によりピストンロッドが回転されるとき、ピストンロッドは、案内要素とのその協働により、軸方向で移動される。特に、ピストンロッドは、用量の設定中、遠位方向に移動されるように駆動要素によって回転される。それにより、薬物送達デバイスから用量が投薬される。一実施形態によれば、案内要素は、ピストンロッドとねじ係合することができる。
【００２８】
好ましい実施形態によれば、アセンブリは、駆動要素の回転がピストンロッドの回転運動を引き起こすように構成される。特に、駆動要素の回転が、ピストンロッドの軸方向および回転の複合運動を引き起こす。特に、ピストンロッドが駆動要素によって回転されるとき、ピストンロッドは、案内要素を通って回転する。用量の設定中、駆動要素は、ハウジングに対して固定される。
【００２９】
本発明のさらなる態様によれば、薬物送達デバイスが提供される。薬物送達デバイスは、前述したように構成されたアセンブリを含む。
【００３０】
薬物送達デバイスは、注射デバイス、特にペン型のデバイスでよい。薬物送達デバイスは、ユーザに薬物の用量を送達するのに適していることがある。用量は、アクチュエータを押し下げることによって送達される。薬物送達デバイスは、ユーザが用量のサイズを選択することができるように、可変用量デバイスでよい。特に、ユーザは、用量設定部材を回転させることによって用量のサイズを選択することができる。薬物送達デバイスは、複数回用量用途（ｍｕｌｔｉｐｌｅ  ｄｏｓｅ  ａｐｐｌｉｃａｔｉｏｎ）向けに構成される。薬物は、注射針によってユーザに送達される。デバイスは、使用準備の整った完全に組み立てられた状態でユーザに送達される。特に、デバイスは、充填済みでよい。薬物送達デバイスは、使い捨てデバイスでもよい。用語「使い捨て」は、利用可能な量の薬物が薬物送達デバイスから送達された後には薬物送達デバイスを再使用することができないことを意味する。代替として、薬物送達デバイスは、再使用可能なデバイスでもよい。薬物送達デバイスは、液体薬物を送達するように構成される。薬物は、たとえば、インスリンでよい。
【００３１】
本明細書で使用する用語「薬物」は、好ましくは、少なくとも１つの薬学的に活性な化合物を含む医薬製剤を意味し、
ここで、一実施形態において、薬学的に活性な化合物は、最大１５００Ｄａまでの分子量を有し、および／または、ペプチド、タンパク質、多糖類、ワクチン、ＤＮＡ、ＲＮＡ、酵素、抗体もしくはそのフラグメント、ホルモンもしくはオリゴヌクレオチド、または上述の薬学的に活性な化合物の混合物であり、
ここで、さらなる実施形態において、薬学的に活性な化合物は、糖尿病、または糖尿病性網膜症などの糖尿病関連の合併症、深部静脈血栓塞栓症または肺血栓塞栓症などの血栓塞栓症、急性冠症候群（ＡＣＳ）、狭心症、心筋梗塞、がん、黄斑変性症、炎症、枯草熱、アテローム性動脈硬化症および／または関節リウマチの処置および／または予防に有用であり、
ここで、さらなる実施形態において、薬学的に活性な化合物は、糖尿病または糖尿病性網膜症などの糖尿病に関連する合併症の処置および／または予防のための少なくとも１つのペプチドを含み、
ここで、さらなる実施形態において、薬学的に活性な化合物は、少なくとも１つのヒトインスリンもしくはヒトインスリン類似体もしくは誘導体、グルカゴン様ペプチド（ＧＬＰ−１）もしくはその類似体もしくは誘導体、またはエキセンジン−３もしくはエキセンジン−４もしくはエキセンジン−３もしくはエキセンジン−４の類似体もしくは誘導体を含む。
【００３２】
インスリン類似体は、たとえば、Ｇｌｙ（Ａ２１），Ａｒｇ（Ｂ３１），Ａｒｇ（Ｂ３２）ヒトインスリン；Ｌｙｓ（Ｂ３），Ｇｌｕ（Ｂ２９）ヒトインスリン；Ｌｙｓ（Ｂ２８），Ｐｒｏ（Ｂ２９）ヒトインスリン；Ａｓｐ（Ｂ２８）ヒトインスリン；Ｂ２８位におけるプロリンがＡｓｐ、Ｌｙｓ、Ｌｅｕ、Ｖａｌ、またはＡｌａで置き換えられており、Ｂ２９位において、ＬｙｓがＰｒｏで置き換えられていてもよいヒトインスリン；Ａｌａ（Ｂ２６）ヒトインスリン；Ｄｅｓ（Ｂ２８−Ｂ３０）ヒトインスリン；Ｄｅｓ（Ｂ２７）ヒトインスリン、およびＤｅｓ（Ｂ３０）ヒトインスリンである。
【００３３】
インスリン誘導体は、たとえば、Ｂ２９−Ｎ−ミリストイル−ｄｅｓ（Ｂ３０）ヒトインスリン；Ｂ２９−Ｎ−パルミトイル−ｄｅｓ（Ｂ３０）ヒトインスリン；Ｂ２９−Ｎ−ミリストイルヒトインスリン；Ｂ２９−Ｎ−パルミトイルヒトインスリン；Ｂ２８−Ｎ−ミリストイルＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；Ｂ３０−Ｎ−パルミトイル−ＴｈｒＢ２９ＬｙｓＢ３０ヒトインスリン；Ｂ２９−Ｎ−（Ｎ−パルミトイル−γ−グルタミル）−ｄｅｓ（Ｂ３０）ヒトインスリン；Ｂ２９−Ｎ−（Ｎ−リトコリル−γ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリン、およびＢ２９−Ｎ−（ω−カルボキシヘプタデカノイル）ヒトインスリンである。
【００３４】
エキセンジン−４は、たとえば、Ｈ−Ｈｉｓ−Ｇｌｙ−Ｇｌｕ−Ｇｌｙ−Ｔｈｒ−Ｐｈｅ−Ｔｈｒ−Ｓｅｒ−Ａｓｐ−Ｌｅｕ−Ｓｅｒ−Ｌｙｓ−Ｇｌｎ−Ｍｅｔ−Ｇｌｕ−Ｇｌｕ−Ｇｌｕ−Ａｌａ−Ｖａｌ−Ａｒｇ−Ｌｅｕ−Ｐｈｅ−Ｉｌｅ−Ｇｌｕ−Ｔｒｐ−Ｌｅｕ−Ｌｙｓ−Ａｓｎ−Ｇｌｙ−Ｇｌｙ−Ｐｒｏ−Ｓｅｒ−Ｓｅｒ−Ｇｌｙ−Ａｌａ−Ｐｒｏ−Ｐｒｏ−Ｐｒｏ−Ｓｅｒ−ＮＨ２配列のペプチドであるエキセンジン−４（１−３９）を意味する。
【００３５】
エキセンジン−４誘導体は、たとえば、以下のリストの化合物：
Ｈ−（Ｌｙｓ）４−ｄｅｓＰｒｏ３６，ｄｅｓＰｒｏ３７エキセンジン−４（１−３９）−ＮＨ２、
Ｈ−（Ｌｙｓ）５−ｄｅｓＰｒｏ３６，ｄｅｓＰｒｏ３７エキセンジン−４（１−３９）−ＮＨ２、
ｄｅｓＰｒｏ３６エキセンジン−４（１−３９）、
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−（１−３９）、
ｄｅｓＰｒｏ３６［Ｔｒｐ（Ｏ２）２５，Ａｓｐ２８］エキセンジン−４（１−３９）、
ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４，Ｔｒｐ（Ｏ２）２５，Ａｓｐ２８］エキセンジン−４（１−３９）、
ｄｅｓＰｒｏ３６［Ｍｅｔ（Ｏ）１４Ｔｒｐ（Ｏ２）２５，ＩｓｏＡｓｐ２８］エキセンジン−４（１−３９）；または
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−（１−３９）、
ｄｅｓＰｒｏ３６［Ｔｒｐ（Ｏ２）２５，Ａｓｐ２８］エキセンジン−４（１−３９）、
ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４，Ｔｒｐ（Ｏ２）２５，Ａｓｐ２８］エキセンジン−４（１−３９）、
ｄｅｓＰｒｏ３６［Ｍｅｔ（Ｏ）１４，Ｔｒｐ（Ｏ２）２５，ＩｓｏＡｓｐ２８］エキセンジン−４（１−３９）、
（ここで、基−Ｌｙｓ６−ＮＨ２が、エキセンジン−４誘導体のＣ−末端に結合していてもよい）；
【００３６】
または、以下の配列のエキセンジン−４誘導体：
ｄｅｓＰｒｏ３６エキセンジン−４（１−３９）−Ｌｙｓ６−ＮＨ２（ＡＶＥ００１０）、
Ｈ−（Ｌｙｓ）６−ｄｅｓＰｒｏ３６［Ａｓｐ２８］エキセンジン−４（１−３９）−Ｌｙｓ６−ＮＨ２、
ｄｅｓＡｓｐ２８Ｐｒｏ３６，Ｐｒｏ３７，Ｐｒｏ３８エキセンジン−４（１−３９）−ＮＨ２、
Ｈ−（Ｌｙｓ）６−ｄｅｓＰｒｏ３６，Ｐｒｏ３８［Ａｓｐ２８］エキセンジン−４（１−３９）−ＮＨ２、
Ｈ−Ａｓｎ−（Ｇｌｕ）５ｄｅｓＰｒｏ３６，Ｐｒｏ３７，Ｐｒｏ３８［Ａｓｐ２８］エキセンジン−４（１−３９）−ＮＨ２、
ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−（Ｌｙｓ）６−ｄｅｓＰｒｏ３６［Ｔｒｐ（Ｏ２）２５，Ａｓｐ２８］エキセンジン−４（１−３９）−Ｌｙｓ６−ＮＨ２、
Ｈ−ｄｅｓＡｓｐ２８Ｐｒｏ３６，Ｐｒｏ３７，Ｐｒｏ３８［Ｔｒｐ（Ｏ２）２５］エキセンジン−４（１−３９）−ＮＨ２、
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ２、
ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６［Ｍｅｔ（Ｏ）１４，Ａｓｐ２８］エキセンジン−４（１−３９）−Ｌｙｓ６−ＮＨ２、
ｄｅｓＭｅｔ（Ｏ）１４，Ａｓｐ２８Ｐｒｏ３６，Ｐｒｏ３７，Ｐｒｏ３８エキセンジン−４（１−３９）−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２；
ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−Ａｓｎ−（Ｇｌｕ）５ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−Ｌｙｓ６−ｄｅｓＰｒｏ３６［Ｍｅｔ（Ｏ）１４，Ｔｒｐ（Ｏ２）２５，Ａｓｐ２８］エキセンジン−４（１−３９）−Ｌｙｓ６−ＮＨ２、
Ｈ−ｄｅｓＡｓｐ２８，Ｐｒｏ３６，Ｐｒｏ３７，Ｐｒｏ３８［Ｍｅｔ（Ｏ）１４，Ｔｒｐ（Ｏ２）２５］エキセンジン−４（１−３９）−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−ＮＨ２、
ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（Ｓ１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ２；
または前述のいずれか１つのエキセンジン−４誘導体の薬学的に許容される塩もしくは溶媒和化合物
から選択される。
【００３７】
ホルモンは、たとえば、ゴナドトロピン（フォリトロピン、ルトロピン、コリオンゴナドトロピン、メノトロピン）、ソマトロピン（ソマトロピン）、デスモプレシン、テルリプレシン、ゴナドレリン、トリプトレリン、ロイプロレリン、ブセレリン、ナファレリン、ゴセレリンなどの、Ｒｏｔｅ  Ｌｉｓｔｅ、２００８年版、５０章に列挙されている脳下垂体ホルモンまたは視床下部ホルモンまたは調節性活性ペプチドおよびそれらのアンタゴニストである。
【００３８】
多糖類としては、たとえば、グルコサミノグリカン、ヒアルロン酸、ヘパリン、低分子量ヘパリン、もしくは超低分子量ヘパリン、またはそれらの誘導体、または上述の多糖類の硫酸化形態、たとえば、ポリ硫酸化形態、および／または、薬学的に許容されるそれらの塩がある。ポリ硫酸化低分子量ヘパリンの薬学的に許容される塩の例としては、エノキサパリンナトリウムがある。
【００３９】
抗体は、基本構造を共有する免疫グロブリンとしても知られている球状血漿タンパク質（約１５０ｋＤａ）である。これらは、アミノ酸残基に付加された糖鎖を有するので、糖タンパク質である。各抗体の基本的な機能単位は免疫グロブリン（Ｉｇ）単量体（１つのＩｇ単位のみを含む）であり、分泌型抗体はまた、ＩｇＡなどの２つのＩｇ単位を有する二量体、硬骨魚のＩｇＭのような４つのＩｇ単位を有する四量体、または哺乳動物のＩｇＭのように５つのＩｇ単位を有する五量体でもあり得る。
【００４０】
Ｉｇ単量体は、４つのポリペプチド鎖、すなわち、システイン残基間のジスルフィド結合によって結合された２つの同一の重鎖および２本の同一の軽鎖から構成される「Ｙ」字型の分子である。それぞれの重鎖は約４４０アミノ酸長であり、それぞれの軽鎖は約２２０アミノ酸長である。重鎖および軽鎖はそれぞれ、これらの折り畳み構造を安定化させる鎖内ジスルフィド結合を含む。それぞれの鎖は、Ｉｇドメインと呼ばれる構造ドメインから構成される。これらのドメインは約７０〜１１０個のアミノ酸を含み、そのサイズおよび機能に基づいて異なるカテゴリー（たとえば、可変すなわちＶ、および定常すなわちＣ）に分類される。これらは、２つのβシートが、保存されたシステインと他の荷電アミノ酸との間の相互作用によって一緒に保持される「サンドイッチ」形状を作り出す特徴的な免疫グロブリン折り畳み構造を有する。
【００４１】
α、δ、ε、γおよびμで表される５種類の哺乳類Ｉｇ重鎖が存在する。存在する重鎖の種類により抗体のアイソタイプが定義され、これらの鎖はそれぞれ、ＩｇＡ、ＩｇＤ、ＩｇＥ、ＩｇＧおよびＩｇＭ抗体中に見出される。
【００４２】
異なる重鎖はサイズおよび組成が異なり、αおよびγは約４５０個のアミノ酸を含み、δは約５００個のアミノ酸を含み、μおよびεは約５５０個のアミノ酸を有する。各重鎖は、２つの領域、すなわち定常領域（ＣＨ）と可変領域（ＶＨ）を有する。１つの種において、定常領域は、同じアイソタイプのすべての抗体で本質的に同一であるが、異なるアイソタイプの抗体では異なる。重鎖γ、α、およびδは、３つのタンデム型のＩｇドメインと、可撓性を加えるためのヒンジ領域とから構成される定常領域を有し、重鎖μおよびεは、４つの免疫グロブリン・ドメインから構成される定常領域を有する。重鎖の可変領域は、異なるＢ細胞によって産生された抗体では異なるが、単一Ｂ細胞またはＢ細胞クローンによって産生された抗体すべてについては同じである。各重鎖の可変領域は、約１１０アミノ酸長であり、単一のＩｇドメインから構成される。
【００４３】
哺乳類では、λおよびκで表される２種類の免疫グロブリン軽鎖がある。軽鎖は２つの連続するドメイン、すなわち１つの定常ドメイン（ＣＬ）および１つの可変ドメイン（ＶＬ）を有する。軽鎖のおおよその長さは、２１１〜２１７個のアミノ酸である。各抗体は、常に同一である２本の軽鎖を有し、哺乳類の各抗体につき、軽鎖κまたはλの１つのタイプのみが存在する。
【００４４】
すべての抗体の一般的な構造は非常に類似しているが、所与の抗体の固有の特性は、上記で詳述したように、可変（Ｖ）領域によって決定される。より具体的には、各軽鎖（ＶＬ）について３つおよび重鎖（ＨＶ）に３つの可変ループが、抗原との結合、すなわちその抗原特異性に関与する。これらのループは、相補性決定領域（ＣＤＲ）と呼ばれる。ＶＨドメインおよびＶＬドメインの両方からのＣＤＲが抗原結合部位に寄与するので、最終的な抗原特異性を決定するのは重鎖と軽鎖の組合せであり、どちらか単独ではない。
【００４５】
「抗体フラグメント」は、上記で定義した少なくとも１つの抗原結合フラグメントを含み、そのフラグメントが由来する完全抗体と本質的に同じ機能および特異性を示す。パパインによる限定的なタンパク質消化は、Ｉｇプロトタイプを３つのフラグメントに切断する。１つの完全なＬ鎖および約半分のＨ鎖をそれぞれが含む２つの同一のアミノ末端フラグメントが、抗原結合フラグメント（Ｆａｂ）である。サイズが同等であるが、鎖間ジスルフィド結合を有する両方の重鎖の半分の位置でカルボキシル末端を含む第３のフラグメントは、結晶可能なフラグメント（Ｆｃ）である。Ｆｃは、炭水化物、相補結合部位、およびＦｃＲ結合部位を含む。限定的なペプシン消化により、Ｆａｂ片とＨ−Ｈ鎖間ジスルフィド結合を含むヒンジ領域の両方を含む単一のＦ（ａｂ’）２フラグメントが得られる。Ｆ（ａｂ’）２は、抗原結合に対して二価である。Ｆ（ａｂ’）２のジスルフィド結合は、Ｆａｂ’を得るために切断することができる。さらに、重鎖および軽鎖の可変領域は、縮合して単鎖可変フラグメント（ｓｃＦｖ）を形成することもできる。
【００４６】
薬学的に許容される塩は、たとえば、酸付加塩および塩基性塩である。酸付加塩としては、たとえば、ＨＣｌまたはＨＢｒ塩がある。塩基性塩は、たとえば、アルカリまたはアルカリ土類、たとえば、Ｎａ＋、またはＫ＋、またはＣａ２＋から選択されるカチオン、または、アンモニウムイオンＮ＋（Ｒ１）（Ｒ２）（Ｒ３）（Ｒ４）（式中、Ｒ１〜Ｒ４は互いに独立に：水素、場合により置換されたＣ１〜Ｃ６アルキル基、場合により置換されたＣ２〜Ｃ６アルケニル基、場合により置換されたＣ６〜Ｃ１０アリール基、または場合により置換されたＣ６〜Ｃ１０ヘテロアリール基を意味する）を有する塩である。薬学的に許容される塩のさらなる例は、「Ｒｅｍｉｎｇｔｏｎ’ｓ  Ｐｈａｒｍａｃｅｕｔｉｃａｌ  Ｓｃｉｅｎｃｅｓ」１７版、Ａｌｆｏｎｓｏ  Ｒ．Ｇｅｎｎａｒｏ（編）、Ｍａｒｋ  Ｐｕｂｌｉｓｈｉｎｇ  Ｃｏｍｐａｎｙ、Ｅａｓｔｏｎ、Ｐａ．、Ｕ．Ｓ．Ａ．、１９８５およびＥｎｃｙｃｌｏｐｅｄｉａ  ｏｆ  Ｐｈａｒｍａｃｅｕｔｉｃａｌ  Ｔｅｃｈｎｏｌｏｇｙに記載されている。
【００４７】
薬学的に許容される溶媒和物は、たとえば、水和物である。
【００４８】
さらなる特徴、改良、および便宜は、図面に関連する例示的実施形態の以下の説明から明らかになる。
【図面の簡単な説明】
【００４９】
【図１】薬物送達デバイスを示す図である。
【発明を実施するための形態】
【００５０】
図１は、アセンブリ２を含む薬物送達デバイス１を示す。特に、図１は、操作されていないとき、すなわちデバイスから用量が送達されていないときの状態で薬物送達デバイス１を示す。
【００５１】
アセンブリ２はピストンロッド３を含み、ピストンロッド３は、薬物の用量を投薬するために遠位方向に移動されるように構成される。特に、ピストンロッド３は、ピストン１６を移動させるように構成され、ピストン１６は、薬物送達デバイス１の投薬端に向けてカートリッジ１４内に配置される。特に、ピストンロッド３は支承部２５を含み、支承部２５はピストン１６と接触する。カートリッジは、カートリッジホルダ１５内に配置され、カートリッジホルダ１５は、ハウジング７に連結される。ピストンロッド３は、親ねじとして構成される。
【００５２】
用量を設定するために、アセンブリ２は、用量設定部材２１を含む。用量設定部材２１は、ユーザによって回転される。特に、用量設定部材２１は、ハウジング７に対して軸方向に固定されるが、回転方向に可動である。特に、薬物送達デバイス１の長さは、用量設定部材２１の回転中に変化しない。アセンブリ２は、さらに、駆動軸２３を含む。用量設定部材２１を回転させることによって、駆動軸２３も回転される。特に、駆動軸２３は、スプライン２６による用量の設定中に用量設定部材２１に対して回転方向に固定される。スプライン２６は、用量設定部材２１の対応する溝（図示せず）に係合することができる。
【００５３】
アセンブリ２は、さらに、回転部材２７を含む。回転部材２７は、スリーブとして構成される。回転部材２７は、駆動軸２３の周りに同心に配置される。回転部材２７は、スナップ連結によって駆動軸２３に固定される。回転部材２７は、駆動軸２３に対して軸方向に固定される。組立ての理由から、駆動軸２３と回転部材２７は、別個の部品として設計される。代替実施形態では、駆動軸２３と回転部材２７は、１部品として設計される。用量設定方向での駆動軸２３の回転は、回転部材２７も回転させる。用量設定方向は、時計方向でよい。回転部材２７と駆動軸２３とは、回転可能に連結される。しかし、回転部材２７と駆動軸２３との間の少量の回転運動が可能である。
【００５４】
アセンブリ２は、圧縮ばね１２を含む。圧縮ばね１２は、コイルばねでよい。用量の設定中に回転部材２７が回転されるとき、圧縮ばね１２が圧縮され、それにより、圧縮ばね１２にエネルギーが貯蔵される。
【００５５】
アセンブリ２は、さらにインジケータ１９を含む。インジケータ１９はスリーブ部材３０、たとえば、数字付きスリーブ（ｎｕｍｂｅｒ  ｓｌｅｅｖｅ）でよい。インジケータ１９は、設定された用量の量をユーザに示すように構成される。たとえば、設定された用量の量は、薬物送達デバイス１のハウジング７にある窓２８を通して示される。インジケータ１９は、回転部材２７に対して回転方向に固定されるが、軸方向に可動である。たとえば、インジケータ１９は、その内周にスプラインを含むことができ、スプラインは、回転部材２７の対応する溝に係合することができる。特に、インジケータ１９は、回転部材２７の周りに同心に配置される。さらに、インジケータ１９は、ハウジング７とねじ係合する。用量の設定中、インジケータ１９は、回転部材２７によって用量設定方向に回転される。それにより、インジケータ１９は、ハウジング７とのそのねじ係合により、遠位方向に移動するように押される。設定された用量をキャンセルするために、用量設定部材２１は、用量キャンセル方向に回転される。用量キャンセル方向は、反時計方向である。
【００５６】
圧縮ばね１２は、インジケータ１９と、ハウジング７の支承面２０との間に配置される。用量の設定中にインジケータ１９が遠位方向に移動されるとき、圧縮ばね１２は、インジケータ１９によって圧縮される。
【００５７】
アセンブリ２は、さらに、ロッキング部材１７を含む。用量の設定中、ロッキング部材１７は、ハウジング７に対して回転方向に固定される。たとえば、ロッキング部材１７はスプラインを含み、スプラインは、ハウジング７の対応する溝に係合する。ロッキング部材１７の内周に、１組の歯（図示せず）が配置される。回転部材２７は、少なくとも１つのラチェットアーム（図示せず）によって、ロッキング部材１７の１組の歯と係合される。特に、ロッキング部材１７と回転部材２７とは、用量設定中、用量設定方向で回転部材２７の回転が可能にされ、用量キャンセル方向での回転部材２７の意図しない回転は妨げられるように係合される。それにより、ユーザが用量設定部材２１を解放したときに、圧縮ばね１２からの力が回転部材２７を用量キャンセル方向に回転させることが妨げられる。用量の設定中、回転部材２７の少なくとも１つのラチェットアームが、ロッキング部材１７の歯の上に移動される。それにより、各単位が設定されるごとに可聴クリック音（ａｕｄｉｂｌｅ  ｃｌｉｃｋ）が生成される。
【００５８】
設定された用量をキャンセルするために、ユーザは、用量設定部材２１を用量キャンセル方向に回転させる。用量のキャンセル中、駆動軸２３は、回転部材２７に対して短距離だけ回転することができる。それにより、機能、たとえば駆動軸２３の突起が、回転部材２７の少なくとも１つのラチェットアームの上に摺動する。それにより、回転部材２７の少なくとも１つのラチェットアームが、半径方向内側に押圧される。それにより、回転部材２７とロッキング部材１７との係合が一時的に解放され、したがって回転部材２７が用量キャンセル方向に回転される。
【００５９】
最終用量部材（ｌａｓｔ  ｄｏｓｅ  ｍｅｍｂｅｒ）１８が、ピストンロッド３と駆動軸２３との間に配置される。最終用量部材１８は、最終用量ナットでよい。最終用量部材１８は、ピストンロッド３とねじ係合する。さらに、最終用量部材１８は、駆動軸２３の内側の対応する溝に係合する外部リブによって、駆動軸２３と係合される。特に、最終用量部材１８は、駆動軸２３に対して回転方向に固定されるが、軸方向では可動である。たとえば用量の設定中に駆動軸２３が回転するとき、最終用量部材１８は、駆動軸２３によって回転される。それにより、最終用量部材１８は、ピストンロッドに沿って移動する。最終用量が選択されるとき、最終用量部材１８は、止め具機能（ｓｔｏｐ  ｆｅａｔｕｒｅ）２９に当接する。止め具機能２９は、ピストンロッド３の近位端に配置される。最終用量部材１８が止め具機能２９に当接するとき、用量のさらなる設定は妨げられる。特に、最終用量部材１８は、カートリッジ１４内の残りの薬物の量を超える用量の設定を妨げる。
【００６０】
用量を投薬するために、アクチュエータ１３がユーザによって作動されなければならない。アクチュエータ１３が作動される、特に遠位方向に移動されるとき、駆動軸２３も遠位方向に移動される。それにより、駆動軸２３は、用量設定部材２１から係合解除される。駆動軸２３が遠位方向に移動されるとき、回転部材２７およびロッキング部材１７も、駆動軸２３と共に遠位方向に移動される。それにより、ロッキング部材１７は、ハウジング７とのその係合から係合解除される。特に、アクチュエータ１３がユーザによって作動されたときに、ロッキング部材１７は、ハウジング７に対して回転される。ロッキング部材１７が回転されるとき、回転部材２７およびインジケータ１９が回転される。ロッキング部材１７が、ハウジング７に対して回転することを可能にされるとき、ばね部材１２に貯蔵されたエネルギーが解放される。特に、圧縮ばね１２は、インジケータ１９に力を及ぼす。それにより、インジケータ１９は、近位方向に移動するように押される。インジケータ１９とハウジング７とのねじ係合により、インジケータ１９の軸方向運動は、インジケータ１９の回転を必要とする。したがって、アクチュエータ１３が作動されるとき、圧縮ばね１２は、インジケータ１９を回転させ、デバイスの近位端に向けて軸方向で移動させる。インジケータ１９の回転は、回転部材２７の回転も引き起こす。用量の投薬中の回転部材２７の回転は、ロッキング部材１７も回転させる。
【００６１】
アセンブリ２は、駆動要素４を含む。駆動要素４は、スプラインナットとして構成される。駆動要素４は、ロッキング部材１７に連結される。特に、駆動要素４は、ロッキング部材１７に対して回転および軸方向に固定される。それにより、駆動要素４は、用量の投薬中に回転する。さらに、駆動要素４は、ピストンロッド３と係合される。特に、駆動要素４はスプラインを含み、スプラインは、ピストンロッド３の軸方向溝と係合される。それにより、駆動要素４は、ピストンロッド３に対して回転方向に固定されるが、軸方向では可動である。
【００６２】
駆動要素４は、フィードバック機能（ｆｅｅｄｂａｃｋ  ｆｅａｔｕｒｅ）（図示せず）を含むことがある。たとえば、駆動要素４の外周に、少なくとも１つ、たとえば２つのクリッカアーム（ｃｌｉｃｋｅｒ  ａｒｍ）が配置される。用量の投薬中に駆動要素４が回転するとき、クリッカアームは、ハウジング７内の歯の上に移動することができ、それにより可聴フィードバックを生成する。フィードバックは、用量が現在投薬されていることをユーザに示すことができる。したがって、可聴フィードバックの終了は、用量がすべて投薬されたことをユーザに示す。
【００６３】
アセンブリ２は、さらに案内要素８を含む。案内要素８は、ねじナットとして構成される。案内要素８は、ピストンロッド３とねじ係合する。案内要素８は、薬物送達デバイス１のハウジング７に対して固定される。用量の投薬中に駆動要素４が回転するとき、ピストンロッド３も回転される。ピストンロッド３と案内要素８とのねじ係合により、ピストンロッド３の回転は、ピストンロッド３を遠位方向に移動させる。それにより、ピストン１６が遠位方向に移動され、それにより用量が投薬される。用量の投薬中、インジケータ１９は、その初期位置に戻るように回転される。特に、用量の投薬中、インジケータ１９は、ゼロ止め具２４に当接するまで、デバイスの近位端に向かう回転および軸方向の複合運動を行う。ゼロ止め具２４は、ハウジング７にしっかりと固定される。代替として、ゼロ止め具２４は、ハウジング７の一体部材でよい。インジケータ１９がゼロ止め具２４に当接するとき、圧縮ばね１２の力による用量投薬方向での回転部材２７のさらなる回転が妨げられる。それにより、用量のさらなる投薬が妨げられる。
【００６４】
ユーザがアクチュエータ１３を解放するとき、アクチュエータと用量設定部材２１との間に配置されたリセットばね２２が、アクチュエータを、その初期位置に戻るように移動させる。それにより、駆動軸２３は、アクチュエータ１３と共に近位方向に移動される。それにより、駆動軸２３は、用量設定部材２１と再係合する。さらに、ロッキング部材１７は、ハウジング７と再係合する。
【符号の説明】
【００６５】
１  薬物送達デバイス
２  アセンブリ
３  ピストンロッド
４  駆動要素
７  ハウジング
８  案内要素
１２  圧縮ばね
１３  アクチュエータ
１４  カートリッジ
１５  カートリッジホルダ
１６  ピストン
１７  ロッキング部材
１８  最終用量部材
１９  インジケータ
２０  支承面
２１  用量設定部材
２２  リセットばね
２３  駆動軸
２４  ゼロ止め具
２５  ピストンロッドの支承部
２６  スプライン
２７  回転部材
２８  窓
２９  止め具機能
３０  スリーブ部材
【図１】
0006448623.tif 000002